(57)【要約】【課題】  見栄え良く取り付けることができ、かつ、電源ケーブルに過剰な外力が作用したときのみ結合が解除されるマグネット式コンセントアダプタを提供する。【解決手段】  マグネット式コンセントアダプタ１は、前面部４ａから前面部４ａに対し垂直方向に突出して平板部の面５ａが前面部４ａと面方向が直交する底面部４ｂに対して直交する一対の並行栓刃５から構成されてコンセント１１に接続される第１のプラグ部Ａ、及びマグネット７を備えて底面部４ｂに構成された第１のレセプタクル部Ｂを有する第１のアダプタ半体２と、磁着片１５を備えた第１のレセプタクル部Ｂ、及びプラグ１９が接続される第２のレセプタクル部Ｄを有する第２のアダプタ半体３とを備え、第１のアダプタ半体２と第２のアダプタ半体３が結合した際に、第２のアダプタ半体３の上面部１４ｂ側の端部と嵌合する凹所を構成する壁部２３を第１のアダプタ半体２の底面部４ｂに備えている。【選択図】図１
2005243312.tif 000002
【特許請求の範囲】
【請求項１】
面方向が直交する２面を有する第１の本体部と、前記第１の本体部の一方の面から該面に対して垂直方向に突出して、平板部の面が前記第１の本体部の他方の面に対して直交する一対の並行栓刃から構成された第１のプラグ部と、前記第１の本体部の他方の面に設けられた一対の端子ピン挿通孔、及び前記一対の並行栓刃に各別に電気的に接続されて前記端子ピン挿通孔を挿通した端子ピンの先部が接触される接触部から構成された第１のレセプタクル部とを有する第１のアダプタ半体を備えるとともに、略直方体状の第２の本体部と、前記第２の本体部の一面から一端側が該面に対して垂直方向に突出して、先部が前記接触部にそれぞれ接触される一対の前記端子ピンから構成された第２のプラグ部と、前記第２の本体部の他面に設けられた一対のコンセント口から差し込まれた栓刃を各別に前記端子ピンの他端側と電気的に接続可能とする第２のレセプタクル部とを有する第２のアダプタ半体を備え、前記第１のアダプタ半体と前記第２のアダプタ半体は、結合手段として、第１のレセプタクル部と第２のプラグ部の一方にマグネット、及び他方に磁性体からなる磁着片を設け、前記第１のアダプタ半体と前記第２のアダプタ半体が結合した際に、前記第２のアダプタ半体の一面側の端部と嵌合する凹所を前記第１のアダプタ半体の他方の面側に設けていることを特徴とするマグネット式コンセントアダプタ。  
【請求項２】
前記第２のレセプタクル部の刃受に、前記コンセント口から差し込まれるプラグの栓刃の抜け止め手段を備えていることを特徴とする請求項１記載のマグネット式コンセントアダプタ。
【請求項３】
前記第１のアダプタ半体に、前記第２のプラグ部を前記第１のレセプタクル部の前記凹所内へ誘導するガイド部を設けていることを特徴とする請求項１又は２記載のマグネット式コンセントアダプタ。
【請求項４】
前記ガイド部は、前記凹所の内周面を外方へ拡開するテーパ状の内周面で形成して構成されていることを特徴とする請求項３記載のマグネット式コンセントアダプタ。
【請求項５】
前記第１のアダプタ半体は、前記端子ピン挿通孔に前記端子ピンの挿脱によって開閉する扉体を備えていることを特徴とする請求項１乃至４いずれか記載のマグネット式コンセントアダプタ。
【請求項６】
前記第１の本体部及び前記第２の本体部は、凹凸形状からなる把持部を備え、前記第１の本体部の前記一方の面に対して反対側の部位は、湾曲する曲面形状に形成されていることを特徴とする請求項１乃至５いずれか記載のマグネット式コンセントアダプタ。
【請求項７】
前記第１のアダプタ半体は、前記第１のプラグ部の前記一対の並行栓刃と前記第１のレセプタクル部の前記接触部との間の通電をオン・オフするスイッチ機構部を備えていることを特徴とする請求項１乃至６いずれか記載のマグネット式コンセントアダプタ。
【発明の詳細な説明】
【技術分野】
【０００１】
本発明は、コンセントと該コンセントに接続可能なプラグとの間に介装され、コンセントとプラグとを磁着して接続可能とするマグネット式コンセントアダプタに関する。
【背景技術】
【０００２】
従来より、プラグの電源ケーブルに外力が作用したときに電源ケーブルの断線を防止したり、電源ケーブルが接続されている電気機器の転倒を防止したりするために、マグネットを用いることで一般的なコンセントよりも弱い引抜力でコンセントからプラグが外れるようにしたマグネット式コンセントが用いられているが、このようなマグネット式コンセントは、通常用いられるコンセントとは異なり、特殊な形状をしているため、電気工事業者による施工が必要となる。
【０００３】
そこで、電気工事を施すことなくマグネット式コンセントと同様の機能を得るために、コンセントとプラグの間に介装して、これらを磁着して接続可能とするマグネット式コンセントアダプタが提供されている。
【０００４】
このようなマグネット式コンセントアダプタは、コンセント側に接続する第１のアダプタ半体と、プラグ側に接続する第２のアダプタ半体とから構成されるものであり、第１のアダプタ半体は、一面側に前記コンセントに接続可能な栓刃を備えた第１のプラグ部、及び他面側に端子ピンの先端部が接触される接点が固着された受け片を備えるとともに第１のプラグ部と電気的に接続された第１のレセプタクル部を有するとともに、第２のアダプタ半体は、一面側に第１のレセプタクル部の前記接点に接触可能な端子ピンを備えた第２のプラグ部、及び他面側に前記プラグが接続可能かつ第２のプラグ部と電気的に接続された第２のレセプタクル部を有し、第１のアダプタ半体と第２のアダプタ半体を、第１のレセプタクル部に設けたマグネットと第２のプラグ部に設けた磁着片とを用いて、これらの磁着力により結合するものが提供されている（特許文献１）。
【特許文献１】特開平１０−１３４９１８号公報（第１図）
【発明の開示】
【発明が解決しようとする課題】
【０００５】
上述のマグネット式コンセントアダプタを用いる際には、コンセント、第１のアダプタ半体、第２のアダプタ半体、及びプラグが一直線上に並んで結合することになる。例えば、壁面に設けられたコンセントに対して用いると、マグネット式コンセントアダプタ及びプラグが壁面から該壁面に垂直方向に突出するため、プラグを直接コンセントに繋ぐ場合に比べて壁面から過剰に突出することになり、マグネット式コンセントアダプタ自体にものが当たり易くなり、その上見栄えが悪くなるという問題があった。
【０００６】
また、マグネット式コンセントアダプタは、上述したように電源ケーブルに外力が作用したときに電源ケーブルの断線防止等のために、第１のアダプタ半体から第２のアダプタ半体が容易に外れるように構成されている。しかし、上述したように壁面に設けられたコンセントに取り付けると、マグネット式コンセントアダプタは、上記の通りにコンセント、第１のアダプタ半体、第２のアダプタ半体、及びプラグが一直線上に並んで結合することになるため、第２のレセプタクル部に接続されたプラグの電源ケーブルに外力が作用した場合に、プラグに働く外力の力成分は大部分が水平方向の成分となり、かつ、第１のアダプタ半体に対する第２のアダプタ半体の差し抜き方向も水平方向となるので、マグネット式コンセントアダプタは、電源ケーブルに作用する外力に対して非常に影響を受け易くなっている。従って、電源ケーブルに弱い外力、例えば、電源ケーブルの断線や電気機器の転倒等の恐れが無いような外力が作用した場合でも、第１のアダプタ半体から第２のアダプタ半体が外れたり、半抜け状態となってしまうという問題があった。
【０００７】
本発明は上述の点に鑑みて為されたもので、その目的は、見栄え良く取り付けることができ、かつ、電源ケーブルに過剰な外力が作用したときのみ結合が解除されるマグネット式コンセントアダプタを提供することである。
【課題を解決するための手段】
【０００８】
上述の課題を解決するために、請求項１の発明では、面方向が直交する２面を有する第１の本体部と、前記第１の本体部の一方の面から該面に対して垂直方向に突出して、平板部の面が前記第１の本体部の他方の面に対して直交する一対の並行栓刃から構成された第１のプラグ部と、前記第１の本体部の他方の面に設けられた一対の端子ピン挿通孔、及び前記一対の並行栓刃に各別に電気的に接続されて前記端子ピン挿通孔を挿通した端子ピンの先部が接触される接触部から構成された第１のレセプタクル部とを有する第１のアダプタ半体を備えるとともに、略直方体状の第２の本体部と、前記第２の本体部の一面から一端側が該面に対して垂直方向に突出して、先部が前記接触部にそれぞれ接触される一対の前記端子ピンから構成された第２のプラグ部と、前記第２の本体部の他面に設けられた一対のコンセント口から差し込まれた栓刃を各別に前記端子ピンの他端側と電気的に接続可能とする第２のレセプタクル部とを有する第２のアダプタ半体を備え、前記第１のアダプタ半体と前記第２のアダプタ半体は、結合手段として、第１のレセプタクル部と第２のプラグ部の一方にマグネット、及び他方に磁性体からなる磁着片を設け、前記第１のアダプタ半体と前記第２のアダプタ半体が結合した際に、前記第２のアダプタ半体の一面側の端部と嵌合する凹所を前記第１のアダプタ半体の他方の面側に設けていることを特徴とするマグネット式コンセントアダプタとした。
【０００９】
請求項１の発明によれば、第２のアダプタ半体は、壁面に設けたコンセントに接続した第１のアダプタ半体に、水平方向に直交する方向から第２のプラグ部を第１のアダプタ半体の第１のレセプタクル部に差し込まれるとともに第１のアダプタ半体の凹所により一端部が収納されて、結合されることとなるため、マグネット式コンセントアダプタが全体的にコンパクトになり、壁面からの突出量を少なくすることができ、これにより、マグネット式コンセントアダプタ自体にものがあたって第１のアダプタ半体から第２のアダプタ半体が外れたり、半抜け状態となってしまうことを防止でき、さらに、第２のアダプタ半体のグラツキを防止でき、その上、見栄え良く設置することができる。加えて、第２のレセプタクル部に接続されたプラグの電源ケーブルに外力が作用した場合に、プラグに働く外力の力成分は大部分が水平方向の成分であるのに対して、第２のプラグ部の第１のレセプタクル部からの引き抜き方向は水平方向に直交する方向であるため、第２のアダプタ半体はプラグの電源ケーブルに作用する外力に対して影響を受け難く、かつ、第２のアダプタ半体の一端部が凹所内に収納されているため、第２のアダプタ半体は水平方向の力に対しては外れ難くなっている。これにより、電源ケーブルに弱い外力、例えば、電気機器の転倒等の恐れが無いような外力が作用した場合、第１のアダプタ半体と第２のアダプタ半体が外れたり、半抜け状態となることを防止でき、これに対して電源ケーブルに過剰な外力が作用した場合は、従来通り結合が外れて電源ケーブルの断線や電気機器の転倒等を防止することができる。
【００１０】
請求項２の発明では、請求項１の発明の構成に加えて、前記第２のレセプタクル部の刃受に、前記コンセント口から差し込まれるプラグの栓刃の抜け止め手段を備えていることを特徴とするマグネット式コンセントアダプタとした。
【００１１】
請求項２の発明によれば、第２のレセプタクル部に接続したプラグが、第２のレセプタクル部から容易に外れないようにすることができる。これにより、第２のアダプタ半体を第１のアダプタ半体から取り外す際に、前記プラグが第２のレセプタクル部から外れる、又は、半抜け状態となってしまうことを防止することができる。
【００１２】
請求項３の発明では、請求項１又は２の発明の構成に加えて、前記第１のアダプタ半体に、前記第２のプラグ部を前記第１のレセプタクル部の前記凹所内へ誘導するガイド部を設けていることを特徴とするマグネット式コンセントアダプタとした。
【００１３】
請求項３の発明によれば、ガイド部により第２のプラグ部を第１のレセプタクル部に正確に結合させることができる。
【００１４】
請求項４の発明では、請求項３の発明の構成に加えて、前記ガイド部は、前記凹所の内周面を外方へ拡開するテーパ状の内周面で形成して構成されていることを特徴とするマグネット式コンセントアダプタとした。
【００１５】
請求項４の発明によれば、第２のプラグ部の端部をテーパ形状により誘導して、第２のプラグ部を第１のレセプタクル部に正確に結合させることができ、これにより、第２のプラグ部を第１のレセプタクル部に容易に抜き差しすることができるようになる。
【００１６】
請求項５の発明では、請求項１乃至４いずれか記載の発明の構成に加えて、前記第１のアダプタ半体は、前記端子ピン挿通孔に前記端子ピンの挿脱によって開閉する扉体を備えていることを特徴とするマグネット式コンセントアダプタとした。
【００１７】
請求項５の発明によれば、第１のアダプタ半体内へのほこり等の侵入を防止でき、また、安全ピン等が第１のアダプタ半体の接触部に直接触れることを防止でき、さらに、子供のいたずら等を防止することができる。
【００１８】
請求項６の発明では、請求項１乃至５いずれか記載の発明の構成に加えて、前記第１の本体部及び前記第２の本体部は、凹凸形状からなる把持部を備え、前記第１の本体部の前記一方の面に対して反対側の部位は、湾曲する曲面形状に形成されていることを特徴とするマグネット式コンセントアダプタとした。
【００１９】
請求項６の発明によれば、把持部と湾曲する曲面形状に形成した部位により、第１のアダプタ半体が持ちやすくなり、第１のアダプタ半体とコンセントとの抜き差しが容易となる。また、コンセントに接続する際に、第１のアダプタ半体の角のない湾曲する曲面形状の部位を押圧して接続できるため、使用感が良い。さらに、第２の本体部に把持部を設けてあるため、この把持部により第２のアダプタ半体と第１のアダプタ半体との抜き差しが容易となる。これにより、マグネット式コンセントアダプタの使い易さを向上することができる。
【００２０】
請求項７の発明では、請求項１乃至６いずれか記載の発明の構成に加えて、前記第１のアダプタ半体は、前記第１のプラグ部の前記一対の並行栓刃と前記第１のレセプタクル部の前記接触部との間の通電をオン・オフするスイッチ機構部を備えていることを特徴とするマグネット式コンセントアダプタとした。
【００２１】
請求項７の発明によれば、第１のアダプタ半体から第２のアダプタ半体を取り外さなくても電源のオン・オフを行うことができ、さらに、省エネルギー化を実現できる。
【発明の効果】
【００２２】
本発明は、マグネット式コンセントアダプタが全体的にコンパクトになり、壁面からの突出量を少なくすることができ、これにより、マグネット式コンセントアダプタ自体にものがあたって第１のアダプタ半体から第２のアダプタ半体が外れたり、半抜け状態となってしまうことを防止でき、さらに、第２のアダプタ半体のグラツキを防止でき、その上、見栄え良く設置することができるという効果に加えて、電源ケーブルに弱い外力、例えば、電気機器の転倒等の恐れが無いような外力が作用した場合、第１のアダプタ半体と第２のアダプタ半体が外れたり、半抜け状態となることを防止でき、これに対して電源ケーブルに過剰な外力が作用した場合は、従来通り結合が外れて電源ケーブルの断線や電気機器の転倒等を防止することができるという効果がある。
【発明を実施するための最良の形態】
【００２３】
本発明のマグネット式コンセントアダプタ１は、図２（ａ）、（ｂ）に示すように、面方向が互いに直交する２面である前面部４ａ及び底面部４ｂを有する第１の本体部４と、第１の本体部４の前面部４ａから前面部４ａに対して垂直方向に突出して、並行栓刃５の平板部の面５ａが第１の本体部４の底面部４ｂに対して直交する一対の並行栓刃５から構成された第１のプラグ部Ａと、第１の本体部４の底面部４ｂに設けられた一対の端子ピン挿通孔９、及び一対の並行栓刃５に各別に電気的に接続されて端子ピン挿通孔９を挿通した端子ピン８の先部が接触される接触部（図示せず）から構成された第１のレセプタクル部Ｂとを有する第１のアダプタ半体２を備えるとともに、略直方体状の第２の本体部１４と、第２の本体部１４の上面部１４ａから一端側が上面部１４ａに対して垂直方向に突出して、先部が前記接触部にそれぞれ接触される一対の端子ピン８から構成された第２のプラグ部Ｃと、第２の本体部１４の下面部１４ｂに設けられた一対のコンセント口２１から差し込まれた栓刃２０（図１参照）を端子ピン８の他端側と各別に電気的に接続可能とする第２のレセプタクル部Ｄとを有する第２のアダプタ半体３を備え、第１のアダプタ半体２と第２のアダプタ半体３は、結合手段として、第１のレセプタクル部Ｂにマグネット７、第２のプラグ部Ｃに磁性体からなる磁着片１５を設け、第１のアダプタ半体２と第２のアダプタ半体３が結合した際に、第２のアダプタ半体３の上面部１４ａ側の端部が嵌合される凹所を構成する壁部２３が第１のアダプタ半体２の底面部４ｂ側に設けられている。
【００２４】
次に、第１のアダプタ半体２及び第２のアダプタ半体３について説明する。
【００２５】
第１のアダプタ半体２は、図３（ａ）〜（ｄ）に示すように、第１の本体部４に、一対の並行栓刃５と、一対の接触部（図示せず）と、一対の扉体６と、マグネット７とを次のように備えて構成されている。
【００２６】
第１の本体部４は、図３（ｃ）、（ｄ）に示すように、面方向が直交する２面である前面部４ａ及び底面部４ｂを有し、この前面部４ａに対して反対側の部位を湾曲する曲面形状に形成された略箱状の筐体からなり、図３（ａ）に示すように、一対の並行栓刃５が各別に貫挿される一対の栓刃孔部（図示せず）を、前記栓刃孔部間の間隔及び形状が、壁面に設けられたコンセント１１（図１参照）のコンセント口１１ａ間の間隔及び形状と同形状に、前面部４ａにその長手方向に添って並設してある。また、第１の本体部４は、図３（ｃ）に示すように、第２のアダプタ半体３に設けられた端子ピン８が挿通自在な一対の端子ピン挿通孔９を底面部４ｂの略中央部の短手方向に並設してあり、マグネット７の端部が露出する露出孔１０を底面部４ｂの長手方向の両側部に２つずつ備えている。
【００２７】
そして、第１の本体部４の両側面部には、凹形状の把持部１２を設けてあり、この把持部１２により第１のアダプタ半体２をコンセント１１から差抜き容易としてある。加えて、底面部４ｂの略中央部には、底面部４ｂの長手方向に形成された凸状の位置決め凸部１３が形成されている。
【００２８】
さらに、図６（ａ）に示すように、第１の本体部４の底面部４ｂ側に、第２のアダプタ半体３の上面部１４ａ側の端部と嵌合するような凹所を構成する壁部２３が一体に設けられている。さらに、壁部２３は、壁部２３の内部空間からなる前記凹所の内周面を外方へ拡開するテーパ状の内周面に形成され、このテーパ状の内周面が、第２のプラグ部Ｃを第１のコンセント部Ｂに誘導して第２のプラグ部Ｃと第１のコンセント部Ｂとを正確に結合するためのガイド部となる。すなわち、前記ガイド部は、前記凹所の内周面を外方へ拡開するテーパ状の内周面で形成して構成されており、このガイド部により第２のプラグ部Ｃを第１のコンセント部Ｂの前記凹所内に誘導して、第２のプラグ部Ｃを第１のレセプタクル部Ｂに正確に結合させることができる。加えて、第２のプラグ部Ｃと第１のレセプタクル部Ｂとの抜き差しが容易となる。
【００２９】
ところで、図６（ａ）では壁部２３を第１の本体部４と一体に設けてあるが、図６（ｂ）に示すように、壁部２３を、例えば軟質樹脂により形成して別体に設けることとしてもよく、このように形成した壁部２３によれば、第１のアダプタ半体２と第２のアダプタ半体３との抜き差しがさらに容易となる。
【００３０】
並行栓刃５は、金属を用いて平板状に形成された平板部を有し、図３（ｄ）に示すように第１の本体部４の前面部４ａから前面部４ａに対して垂直方向に前記栓刃孔部を貫挿して突出し、図３（ｃ）に示すように並行栓刃５の前記平板部の面５ａが底面部４ｂに対して直交するように、前面部４ａの長手方向に一対並行して設けられている。
【００３１】
前記接触部は、例えば、弾性を備えて端子ピン８による押圧に対して撓むように形成された端子板（図示せず）に、銀ニッケル合金等を用いて形成されている。前記端子板は、前記接触部を前記端子ピン挿通孔９に対応させて配置されるとともに、一対の並行栓刃５と各別に電気的に接続されて第１の本体部４内に収納されている。
【００３２】
扉体６は、前記接触部と端子ピン挿通孔９の間に介在して第１の本体部４に２枚１組として収納配置されている。これら扉体６は、ばね等の弾性体によってそれぞれ底面部４ｂの長手方向中央部側に弾発付勢されて、図３（ｃ）に示すように、底面部４ｂの長手方向から互いに対向するように各端子ピン挿通孔９内に突出して、互いの端面を接触させて端子ピン挿通孔９を閉塞し、前記接触部を保護するようになっている。このような扉体６は、端子ピン８により押圧されると、接触していた扉体６の前記端面が互いに離反し、弾発付勢された方向に対して反対方向に移動して端子ピン挿通孔９を開口し、端子ピン８を端子ピン挿通孔９に挿通可能とするものである。従って、扉体６は、端子ピン８の端子ピン挿通孔９への挿脱により開閉することになる。この扉体６により、第１のアダプタ半体２内へのほこり等の侵入を防止でき、また、安全ピン等が第１のアダプタ半体２の前記接触部に直接触れることを防止でき、さらに、子供のいたずら等を防止することができる。
【００３３】
マグネット７は、例えば平板状の金属板を平板状の磁石の両面に固着するとともに、前記金属板の端部を前記磁石より突出させて形成されている。そして、マグネット７は前記端部を露出孔１０より露出させて第１の本体部４に収納されている。
【００３４】
このようにして構成された第１のアダプタ半体２は、第１の本体部４の前面部４ａに突出した一対の並行栓刃５により、コンセント１１に接続するための第１のプラグ部Ａを備え、第１の本体部４に収納された前記接触部、マグネット７、及び端子ピン挿通孔９により、第２のアダプタ半体３の第２のプラグ部Ｃと接続するための第１のコンセント部Ｂを備えている。
【００３５】
第２のアダプタ半体３は、図４（ａ）〜（ｄ）に示すように、第２の本体部１４に、一対の端子ピン８と、一対の磁着片１５と、一対の栓刃受部（図示せず）とを次のように備えて構成されている。
【００３６】
第２の本体部１４は、略直方体形状の箱体に形成され、図４（ａ）に示すように、一対の端子ピン８が各別に貫挿される一対の端子孔部１７を、端子孔部１７間の間隔と端子ピン挿通孔９間の間隔とが等しくなるように、一面側の上面部１４ａの略中央部にその短手方向に添って並設してある。また、第２の本体部１４は、磁着片１５を配置する配置部１８を上面部１４ａの長手方向の両側部に備えている。そして、上面部１４ａの他面側である下面部１４ｂの略中央部に、図４（ｃ）に示すように負荷に備えられたプラグ１９（図１参照）の栓刃２０（図１参照）が挿通自在な円弧状のコンセント口２１を一対備えている。そして、第２の本体部１４の側周部には、図４（ｂ）、（ｄ）に示すように、全周に亘って凸形状の把持部２２を設けてあり、この把持部２２により第２のアダプタ半体３を第１のアダプタ半体２から差抜き容易としてある。加えて、上面部１４ａの略中央部には、上面部１４ａの長手方向に形成された凹状の位置決め凹部１６が形成され、この位置決め凹部１６は、第１のアダプタ半体２に形成した位置決め凸部１３と嵌合して第１のアダプタ半体２と第２のアダプタ半体３の位置決めを行うものである。
【００３７】
端子ピン８は、図４（ａ）、（ｄ）に示すように、金属を用いて円柱状に形成され、第２の本体部１４の上面部１４ａから端子ピン８の一端側が上面部１４ａに対して垂直方向に端子孔部１７を貫挿して突出するとともに、上面部１４ａの短手方向に一対並行して設けられている。
【００３８】
磁着片１５は、平板状の磁性板からなり、それぞれ上面部１４ａの配置部１８に一面を露出して配置され、第１のアダプタ半体２に備えられたマグネット７に吸着される。
【００３９】
前記一対の栓刃受部は、例えばプラグ１９の栓刃２０を狭持する刃受となる刃受ばね（図示せず）を備えて形成されて、前記刃受ばねを各コンセント口２１にそれぞれ対応させて配置されるとともに、端子ピン８の他端部と各別に電気的に接続されて第２の本体部１４内に収納されている。また、プラグ１９の栓刃２０には、一般に孔部２０ａ（図１参照）が設けられており、そのため前記栓刃受部の前記刃受ばねに、プラグ１９の栓刃２０の抜け止め手段として、プラグ１９の栓刃２０を孔部２０ａで係止するための抜け止め突起（図示せず）を設けることができる。例えば、プラグ１９をコンセント口２１から第２の本体部１４内に挿入して、下面部１４ｂに並行する面内でプラグ１９を回転させた際に、前記栓刃受部に設けた前記抜け止め突起に孔部２０ａが係止されるような構成とすることができる。すなわち、第２のレセプタクル部Ｄの前記刃受ばねに、コンセント口２１から差し込まれるプラグ１９の栓刃２０の抜け止め手段として、前記抜け止め突起を備えることにより、第２のレセプタクル部Ｄに接続したプラグ１９が、第２のレセプタクル部Ｄから容易に外れなくなるため、第２のアダプタ半体３を第１のアダプタ半体２から取り外す際に、プラグ１９が第２のレセプタクル部Ｄから外れる、又は、半抜け状態となってしまうことを防止することができる。
【００４０】
このようにして構成された第２のアダプタ半体３は、第２の本体部１４の上面部１４ａから一端側が突出した一対の端子ピン８、及び上面部１４ａの配置部１８に配置された磁着片１５により、マグネット式のコンセントである第１のコンセント部Ｂに接続するためのマグネット式のプラグである第２のプラグ部Ｃを備え、第２の本体部１４に収納された前記栓刃受部、及び第２の本体部１４の下面部１４ｂに設けたコンセント口２１により、プラグ１９の栓刃２０を各別に端子ピン８の他端側と電気的に接続するための第２のコンセント部Ｄを備えている。
【００４１】
以上により構成された第１のアダプタ半体２と第２のアダプタ半体３は、第２のプラグ部Ｃの端子ピン８を第１のコンセント部Ｂの端子ピン挿通孔９から扉体６を押し広げて第１の本体部４内に挿入して、端子ピン８の先部と前記接触部とを当接させ、第１のコンセント部Ｂのマグネット７に第２のプラグ部Ｃの磁着片１５を吸着させ、第１のコンセント部Ｂの位置合わせ凸部１３と第２のプラグ部Ｃの位置合わせ凹部１６とを嵌合させて第１のコンセント部Ｂに第２のプラグ部Ｃを結合することで、図５（ａ）〜（ｂ）に示すように接続されている。
【００４２】
本発明のマグネット式コンセントアダプタ１によれば、図１に示すように、第１のアダプタ半体２をコンセント１１に取り付け、第２のアダプタ半体３をプラグ１９に取り付けることで、コンセント１１とプラグ１９との間の接続をマグネット式の接続方式に変換することができ、このようにマグネットを用いることで一般的なコンセントよりも弱い引抜力でコンセントからプラグが外れるようになり、お年寄りや女性でも容易に差し抜きが可能となる。さらに、第２のアダプタ半体３は、壁面に設けたコンセント１１に接続した第１のアダプタ半体２に、水平方向に直交する方向から第２のプラグ部Ｃを第１のアダプタ半体２の第１のレセプタクル部Ｂに差し込まれるとともに第１のアダプタ半体２の前記凹所により一端部が収納されて、結合されることとなるため、マグネット式コンセントアダプタ１が全体的にコンパクトになり、壁面からの突出量を少なくすることができ、これにより、マグネット式コンセントアダプタ１自体にものがあたって第１のアダプタ半体２から第２のアダプタ半体３が外れたり、半抜け状態となってしまうことを防止でき、さらに、第２のアダプタ半体３のグラツキを防止でき、その上、見栄え良く設置することができる。
【００４３】
加えて、第２のレセプタクル部Ｄに接続されたプラグ１９の電源ケーブル２６を例えば引っ掛けてしまった際等に、電源ケーブル２６に作用する張力からなる外力によりプラグ１９に働く力成分は大部分が水平方向の成分であるのに対して、第２のプラグ部Ｃの第１のレセプタクル部Ｂからの引き抜き方向は水平方向に直交する方向であるため、第２のアダプタ半体３はプラグ１９の電源ケーブル２６に作用する外力に対して影響を受け難く、かつ、第２のアダプタ半体３の一端部が前記凹所内に収納されているため、第２のアダプタ半体３は水平方向の力に対しては外れ難くなっている。これにより、電源ケーブル２６に弱い外力、例えば、電気機器の転倒等の恐れが無いような外力が作用した場合、第１のアダプタ半体２と第２のアダプタ半体３が外れたり、半抜け状態となることを防止でき、これに対して電源ケーブル２６に過剰な外力が作用した場合は、従来通り第１のアダプタ半体２と第２のアダプタ半体３との結合が外れて電源ケーブル２６の断線や電気機器の転倒等を防止することができる。
【００４４】
さらに、第１の本体部４の一方の面である前面部４ａに対して反対側の部位、即ち第１のアダプタ半体２を壁面に設けたコンセント１１に接続するために押圧する部位を湾曲する曲面形状にするとともに、第１の本体部４の両側部に把持部１２を設けてあるため、第１のアダプタ半体２が持ちやすくなり、第１のアダプタ半体２とコンセント１１との抜き差しが容易となる。また、コンセント１１に接続する際に、第１のアダプタ半体２の角のない前記曲面形状の部位を押圧して接続できるため、使用感が良い。さらに、第２の本体部１４に把持部２２を設けてあるため、この把持部２２により第２のアダプタ半体３と第１のアダプタ半体２との抜き差しが容易となる。これにより、マグネット式コンセントアダプタ１の使い易さを向上することができる。
【００４５】
加えて、第１のアダプタ半体２に通常のコンセントを設けることができる。この場合、第１の本体部４の湾曲する曲面形状に形成した部位に平坦な面からなるコンセント部を設け、前記コンセント部に、プラグ１９の栓刃２０間の間隔と同間隔の一対のコンセント口を設ける。そして、このコンセント口から差し込まれる栓刃２０を接続狭持する刃受ばねを有する栓刃受部を、並行栓刃５に各別に電気的に接続するとともに、前記コンセント口に対応させて配置して第１の本体部４に収納する。これにより、プラグを接続するためのコンセントを増設することができ、例えば、あまり抜き差しを行わず、常設するプラグの接続に用いることができる。
【００４６】
或いは、図７に示すように、第１のアダプタ半体２に第１のプラグ部Ａと第１のコンセント部Ｂとの間の通電をオン・オフするスイッチ機構部２５を設けることができ、これにより、第１のアダプタ半体２から第２のアダプタ半体３を取り外さなくても電源のオン・オフを行うことができ、さらに、省エネルギー化を実現できる。
【図面の簡単な説明】
【００４７】
【図１】本発明のマグネット式コンセントアダプタの使用説明図である。
【図２】（ａ）は、同上のマグネット式コンセントアダプタを上方から見た分解斜視図であり、（ｂ）は、同上のマグネット式コンセントアダプタを下方から見た分解斜視図である。
【図３】（ａ）は、同上のマグネット式コンセントアダプタの第１のアダプタ半体の上面図であり、（ｂ）は、同上の第１のアダプタ半体の背面図であり、（ｃ）は、同上の第１のアダプタ半体の下面図であり、（ｄ）は、同上の第１のアダプタ半体の側面図である。
【図４】（ａ）は、同上のマグネット式コンセントアダプタの第２のアダプタ半体の上面図であり、（ｂ）は、同上の第２のアダプタ半体の側面図であり、（ｃ）は、同上の第２のアダプタ半体の下面図であり、（ｄ）は、同上の第２のアダプタ半体の他方の側面図である。
【図５】（ａ）は、同上のマグネット式コンセントアダプタの上面図であり、（ｂ）は、同上のマグネット式コンセントアダプタの背面図であり、（ｃ）は、同上のマグネット式コンセントアダプタの下面図であり、（ｄ）は、同上のマグネット式コンセントアダプタの側面図である。
【図６】（ａ）は、同上のマグネット式コンセントアダプタの一部を省略した部分断面図であり、（ｂ）は、同上のその他のマグネット式コンセントアダプタの一部を省略した部分断面図である。
【図７】同上のさらに他のマグネット式コンセントアダプタの背面図である。
【符号の説明】
【００４８】
１    マグネット式コンセントアダプタ
２    第１のアダプタ半体
３    第２のアダプタ半体
４    第１の本体部
４ａ  前面部
５    並行栓刃
５ａ  平板部の面
８    端子ピン
１１    コンセント
１１ａ  コンセント口
１２    把持部
１４    第２の本体部
１４ａ  上面部
１４ｂ  下面部
１５    磁着片
１６    位置決め凹部
１７    端子孔部
１８    配置部
１９    プラグ
２０    栓刃
２０ａ  孔部
２２    把持部
２３    壁部
２６    電源ケーブル
【図１】
2005243312.tif 000003
【図２】
2005243312.tif 000004
【図３】
2005243312.tif 000005
【図４】
2005243312.tif 000006
【図５】
2005243312.tif 000007
【図６】
2005243312.tif 000008
【図７】
2005243312.tif 000009